(57)【要約】【課題】簡単な方法で多様なウォレット構成要素をチケットサーバに登録させることができる端末装置及びその制御方法を提供する。【解決手段】当該方法は、第１プロバイダサーバからチケットサーバに登録された第１ウォレット構成要素と、上記第１ウォレット構成要素と関連づけられた上記チケットサーバに登録されたウォレット追加構成要素とを受信するステップと、上記第１ウォレット構成要素及び上記ウォレット追加構成要素をタッチスクリーン上に表示するステップと、上記ウォレット追加構成要素が選択されれば、上記選択されたウォレット追加構成要素の発行を上記第２プロバイダサーバにリクエストするステップと、上記リクエストされたウォレット追加構成要素に対応して上記第２プロバイダサーバにより発行されたウォレット追加構成要素を受信するステップと、上記発行されたウォレット追加構成要素を上記タッチスクリーン上に表示するステップと、を含む。【選択図】図５
2014164766.tif 000002
【特許請求の範囲】
【請求項１】
電子取引を行うための方法であって、
第１プロバイダサーバからチケットサーバに登録された第１ウォレット構成要素と、前記第１ウォレット構成要素と関連づけられた前記チケットサーバに登録されたウォレット追加構成要素とを受信するステップと、
前記第１ウォレット構成要素及び前記ウォレット追加構成要素をタッチスクリーン上に表示するステップと、
前記ウォレット追加構成要素が選択されれば、前記選択されたウォレット追加構成要素の発行を前記第２プロバイダサーバにリクエストするステップと、
前記リクエストされたウォレット追加構成要素に対応して前記第２プロバイダサーバにより発行されたウォレット追加構成要素を受信するステップと、
前記発行されたウォレット追加構成要素を前記タッチスクリーン上に表示するステップと、
を含むことを特徴とする、方法。
【請求項２】
前記第１ウォレット構成要素及び前記ウォレット追加構成要素は、クーポン、チケット、バーコード及びカードのうちの１つであることを特徴とする、請求項１に記載の方法。
【請求項３】
前記第１ウォレット構成要素及び前記ウォレット追加構成要素のうち少なくとも一つは、共通情報と可変情報とを含むことを特徴とする、請求項１に記載の方法。
【請求項４】
前記共通情報は前記第１ウォレット構成要素の表示レイアウトであり、前記可変情報は前記ウォレット構成要素の詳細情報であることを特徴とする、請求項３に記載の方法。
【請求項５】
前記ウォレット追加構成要素は、前記第１ウォレット構成要素との提携情報であることを特徴とする、請求項１に記載の方法。
【請求項６】
前記第１ウォレット構成要素は、前記タッチスクリーンの上端に表示され、前記ウォレット追加構成要素は前記タッチスクリーンの下端に表示されることを特徴とする、請求項１に記載の方法。
【請求項７】
複数個のウォレット追加構成要素は、前記タッチスクリーンの下端に一列に配列されて表示され、ドラッグまたはフリックによりスクロールされることを特徴とする、請求項１に記載の方法。
【請求項８】
前記選択されたウォレット追加構成要素の発行を前記第２プロバイダサーバにリクエストするステップにおいて、
前記ウォレット追加構成要素が選択されれば、前記選択されたウォレット追加構成要素の発行を前記第２プロバイダサーバにリクエストするか否かを問うポップアップを前記タッチスクリーンの上に表示することを特徴とする、請求項１に記載の方法。
【請求項９】
前記発行されたウォレット追加構成要素に対応するアプリケーションがインストールされているかを確認するステップと、
前記発行されたウォレット追加構成要素に対応するアプリケーションがインストールされている場合、前記発行されたウォレット追加構成要素に対応するアプリケーションを実行するステップと、
前記発行されたウォレット追加構成要素を表示するステップと、
をさらに含むことを特徴とする、請求項１に記載の方法。
【請求項１０】
前記発行されたウォレット追加構成要素に対応するアプリケーションがインストールされているかを確認するステップと、
前記発行されたウォレット追加構成要素に対応するアプリケーションがインストールされていない場合、ユーザからインストール意思を受信するステップと、
前記発行されたウォレット追加構成要素に対応するアプリケーションをインストールするステップと、
をさらに含むことを特徴とする、請求項１に記載の方法。
【請求項１１】
電子取引を行う端末装置であって、
第１プロバイダサーバからチケットサーバに登録された第１ウォレット構成要素と、前記第１ウォレット構成要素と関連づけられた前記チケットサーバに登録されたウォレット追加構成要素とを受信し、
前記第１ウォレット構成要素及び前記ウォレット追加構成要素をタッチスクリーン上に表示し、
前記ウォレット追加構成要素が選択されれば、前記選択されたウォレット追加構成要素の発行を前記第２プロバイダサーバにリクエストし、
前記リクエストされたウォレット追加構成要素に対応して前記第２プロバイダサーバにより発行されたウォレット追加構成要素を受信し、
前記発行されたウォレット追加構成要素を前記タッチスクリーン上に表示する制御部と、
前記ウォレット構成要素及び前記ウォレット追加構成要素を格納する格納部と、
を含むことを特徴とする、端末装置。
【請求項１２】
前記ウォレット構成要素及び前記ウォレット追加構成要素は、クーポン、チケット、またはカードであることを特徴とする、請求項１１に記載の端末装置。
【請求項１３】
前記ウォレット構成要素は、共通情報と可変情報とを含むことを特徴とする、請求項１１に記載の端末装置。
【請求項１４】
前記制御部は、
前記発行されたウォレット追加構成要素に対応するアプリケーションがインストールされているかを確認し、
前記発行されたウォレット追加構成要素に対応するアプリケーションがインストールされている場合、前記発行されたウォレット追加構成要素に対応するアプリケーションを実行し、
前記発行されたウォレット追加構成要素を表示することを特徴とする、請求項１１に記載の端末装置。
【請求項１５】
前記制御部は、
前記発行されたウォレット追加構成要素に対応するアプリケーションがインストールされているかを確認し、
前記発行されたウォレット追加構成要素に対応するアプリケーションがインストールされていない場合、ユーザのインストール意思を確認し、
前記発行されたウォレット追加構成要素に対応するアプリケーションをインストールすることを特徴とする、請求項１１に記載の端末装置。
【発明の詳細な説明】
【技術分野】
【０００１】
本発明は、電子ウォレット構成要素を用いて電子取引を行う端末装置に関するものである。
【背景技術】
【０００２】
最近、端末装置に対して、多様なアプリケーションが開発されてきている。特に、ウォレットアプリケーションは、上記端末装置のユーザが電子財布として使用することができるアプリケーションを意味する。上記電子財布に該当するウォレットアプリケーションには、クーポン、チケット、カードのようなウォレット構成要素が格納される。
【０００３】
ところで、上記ウォレットアプリケーションによって表示されるクーポンなどには、上記クーポン以外の追加的な情報が含まれていないことが普通である。即ち、上記ウォレットアプリケーションによって表示されるクーポンを使用するサービス以外のサービスは提供されていない。
【０００４】
したがって、上記ウォレットアプリケーションによって表示されるクーポンのようなウォレット構成要素に対する追加的なサービスを提供することができる技術が開発される必要がある。
【先行技術文献】
【特許文献】
【０００５】
【特許文献１】米国特許公開第２０１０／００８２４９１号公報
【発明の概要】
【発明が解決しようとする課題】
【０００６】
上述する課題を解決するために、本発明の第１の目的は、可変情報である上記ウォレット構成要素の詳細情報のみを変更させてチケットサーバに登録することにより、簡単な方法で多様なウォレット構成要素をチケットサーバに登録させることができる端末装置及びその制御方法を提供する。
【０００７】
本発明の一実施形態は、可変情報である上記ウォレット追加構成要素の詳細情報のみを変更させて上記チケットサーバに登録することにより、簡単な方法で多様なウォレット追加構成要素をチケットサーバに登録させることができる端末装置及びその制御方法を提供する。
【０００８】
本発明の一実施形態は、ウォレット構成要素と共にウォレット追加構成要素を端末装置のユーザに提供して、ウォレット追加構成要素のプロバイダに対する広告効果を増大させることができる端末装置及びその制御方法を提供する。ウォレット構成要素は、クーポン、チケット、またはカードのように表現されるデジタル情報の一部であってもよい。このような情報は、バーコードとして端末装置のタッチスクリーンの上に表示される。上記デジタル情報は、飛行機搭乗のような入場を獲得するために提供される。また、ウォレット追加構成要素もやはり上述した特徴を有することができる。
【０００９】
本発明の一実施形態は、複数個のウォレット追加構成要素が上記タッチスクリーンの下端に一列に配列されて表示される時、上記複数個のウォレット追加構成要素のうち、表示されたウォレット追加構成要素に対するドラッグまたはフリックにより上記複数個のウォレット追加構成要素をスクロールすることができる端末装置及びその制御方法を提供する。
【００１０】
本発明の一実施形態は、ウォレット構成要素と提携関係にあるウォレット追加構成要素に対する選択が検出されれば、上記選択されたウォレット追加構成要素の発行を第２プロバイダサーバにリクエストして上記ウォレット追加構成要素の発行を受ける。そして、本発明の一実施形態によれば、上記ウォレット追加構成要素が連鎖的にタッチスクリーンの上に表示されて、上記ウォレット追加構成要素を連鎖的に発行される端末装置及びその制御方法を提供する。
【００１１】
本発明の他の実施形態は、発行されたウォレット追加構成要素に対応するアプリケーションがインストールされていない場合には、上記アプリケーションのインストールを促して上記ウォレット追加構成要素を使用できるようにし、ウォレットアプリケーションを実行して上記ウォレット追加構成要素を使用できるようにする端末装置及びその制御方法を提供する。
【課題を解決するための手段】
【００１２】
本発明の一実施形態に従う電子取引を行うための方法は、第１プロバイダサーバからチケットサーバに登録された第１ウォレット構成要素と、上記第１ウォレット構成要素と関連づけられた上記チケットサーバに登録されたウォレット追加構成要素を受信するステップと、上記第１ウォレット構成要素及び上記ウォレット追加構成要素をタッチスクリーン上に表示するステップと、上記ウォレット追加構成要素が選択されれば、上記選択されたウォレット追加構成要素の発行を上記第２プロバイダサーバにリクエストするステップと、上記リクエストされたウォレット追加構成要素に対応して上記第２プロバイダサーバにより発行されたウォレット追加構成要素を受信するステップと、上記発行されたウォレット追加構成要素を上記タッチスクリーン上に表示するステップとを含む。
【００１３】
本発明の一実施形態に従う電子取引を行う端末装置は、第１プロバイダサーバからチケットサーバに登録された第１ウォレット構成要素と、上記第１ウォレット構成要素と関連づけられた上記チケットサーバに登録されたウォレット追加構成要素とを受信し、上記第１ウォレット構成要素及び上記ウォレット追加構成要素をタッチスクリーン上に表示し、上記ウォレット追加構成要素が選択されれば、上記選択されたウォレット追加構成要素の発行を上記第２プロバイダサーバにリクエストし、上記リクエストされたウォレット追加構成要素に対応して上記第２プロバイダサーバにより発行されたウォレット追加構成要素を受信し、上記発行されたウォレット追加構成要素を上記タッチスクリーン上に表示する制御部と、上記ウォレット構成要素及び上記ウォレット追加構成要素を格納する格納部とを含む。
【発明の効果】
【００１４】
本発明の一実施形態によれば、可変情報である上記ウォレット構成要素の詳細情報のみを変更させて上記チケットサーバに登録することによって、簡単な方法で多様なウォレット構成要素をチケットサーバに登録させることができる利点がある。
【００１５】
本発明の一実施形態によれば、可変情報である上記ウォレット追加構成要素の詳細情報のみを変更させて上記チケットサーバに登録することによって、簡単な方法で多様なウォレット追加構成要素をチケットサーバに登録させることができる利点がある。
【００１６】
本発明の一実施形態によれば、ウォレット構成要素と共にウォレット追加構成要素を端末装置のユーザに提供して、ウォレット追加構成要素のプロバイダに対する広告効果を増大させることができる利点がある。
【００１７】
本発明の一実施形態によれば、複数個のウォレット追加構成要素が上記タッチスクリーンの下端に一列に配列されて表示される時、上記複数個のウォレット追加構成要素のうち、表示されたウォレット追加構成要素に対するドラッグまたはフリックにより上記複数個のウォレット追加構成要素をスクロールすることができる利点がある。
【００１８】
本発明の一実施形態によれば、ウォレット構成要素と提携関係にあるウォレット追加構成要素に対する選択が検出されれば、上記選択されたウォレット追加構成要素の発行を第２プロバイダサーバにリクエストして上記ウォレット追加構成要素の発行を受けることができる利点がある。そして、本発明の一実施形態によれば、上記ウォレット追加構成要素が連鎖的にタッチスクリーンの上に表示されて、上記ウォレット追加構成要素を連鎖的に発行させることができる利点がある。
【００１９】
本発明の他の実施形態によれば、発行されたウォレット追加構成要素に対応するアプリケーションがインストールされていない場合には、上記アプリケーションのインストールを促して上記ウォレット追加構成要素を使用できるようにすることができ、ウォレットアプリケーションを実行して上記ウォレット追加構成要素を使用できるようにすることができる利点がある。
【図面の簡単な説明】
【００２０】
【図１】本発明の一実施形態に従う端末装置を示す概略的なブロック図である。
【図２】本発明の一実施形態に従う端末装置の前方斜視図である。
【図３】本発明の一実施形態に従う端末装置の後方斜視図である。
【図４】本発明の一実施形態に従うサーバの構成を示す図である。
【図５】本発明の一実施形態に従う第１ウォレット構成要素に関する提携情報を伝達する端末装置制御方法に関するフローチャートである。
【図６】第１ウォレット構成要素及びウォレット追加構成要素を示す図である。
【図７】タッチスクリーンの上に表示されたウォレット追加構成要素がスクロールされる場面を示す図である。
【図８】本発明の一実施形態に従うウォレット追加構成要素の発行を示す図である。
【図９】発行されたウォレット追加構成要素を表示する画面がウォレット構成要素を表示する画面に変換される場面を示す図である。
【図１０】本発明の他の実施形態に従うウォレット構成要素に関する提携情報を伝達する端末装置制御方法に関するフローチャートである。
【図１１】本発明の他の実施形態に従う発行されたウォレット追加構成要素に対応するアプリケーションを実行する場面を示す図である。
【発明を実施するための形態】
【００２１】
本発明は、多様な変更を加えられてもよく、多様な実施形態を有することもできるところ、特定の実施形態を図面に例示して詳細に説明する。しかしながら、これは本発明を特定の実施形態に対して限定しようとするものではなく、本発明の思想及び技術範囲に含まれる全ての変更、均等物、及び代替物を含むことと理解されるべきである。
【００２２】
第１、第２などのように、序数を含む用語は、多様な構成要素を説明することに使用されるが、上記構成要素は上記用語により限定されるものではない。上記用語は、１つの構成要素を他の構成要素から区別する目的のみに使われる。例えば、本発明の権利範囲から逸脱することなく、第１構成要素は第２構成要素と命名されてもよく、同様に、第２構成要素も第１構成要素と命名されてもよい。及び／又はという用語は、複数の関連した記載の項目の組合または複数の関連した記載の項目のうちのいずれかの項目を含む。
【００２３】
本出願で使用した用語は、単に特定の実施形態を説明するために使われるのであって、本発明を限定しようとする意図ではない。単数の表現は文脈上、明白に異なるように意味しない限り、複数の表現を含む。本出願において、“含む”または“有する”などの用語は、明細書上に記載された特徴、数字、段階、動作、構成要素、部品、またはこれらの組み合わせが存在することを指定しようとするものあり、１つまたはそれ以上の他の特徴や数字、段階、動作、構成要素、部品、またはこれらの組み合わせ等の存在または付加可能性を予め排除しないことと理解されるべきである。
【００２４】
特に定義されない限り、技術的または科学的な用語を含む、ここで使われる全ての用語は、本発明が属する技術分野で通常の知識を有する者により一般的に理解されることと同一な意味を有している。一般的に使われる予め定義されているような用語は、関連技術の文脈上の意味と一致する意味を有することと解釈されなければならず、本出願で明白に定義しない限り、理想的または過度に形式的な意味として解釈されない。
【００２５】
図１は、本発明の一実施形態に従う端末装置を示す概略的なブロック図である。
【００２６】
図１を参照すると、装置１００は、サブ通信モジュール１３０、コネクタ１６５、及びイヤホンジャック１６７のような外部装置接続部を用いて外部装置（図示せず）と接続できる。“外部装置”は、上記装置１００に脱着されて有線で連結可能なイヤホン（Earphone）、外部スピーカー（External speaker）、ＵＳＢ（Universal Serial Bus）メモリ、充電器、クレイドル（Cradle）、ドッキングステーション（Docking station）、ＤＭＢアンテナ、モバイル決済関連装置、健康管理装置（血糖計など）、ゲーム機、カーナビゲーション装置など、多様な装置を含むことができる。また、上記“外部装置”は、近距離通信により無線で上記装置１００に接続できるブルートゥース通信装置、ＮＦＣ（Near Field Communication）装置のような近距離無線通信装置、及びWiFi Direct通信装置、無線アクセスポイント（ＡＰ：Access Point）を含むことができる。また、上記外部装置は、他の装置、携帯電話、スマートフォン、タブレットＰＣ、デスクトップＰＣ、及びサーバを含むことができる。
【００２７】
図１を参照すると、装置１００は、タッチスクリーン１９０及びタッチスクリーンコントローラ１９５を含む。また、装置１００は、制御部１１０、移動通信モジュール１２０、サブ通信モジュール１３０、マルチメディアモジュール１４０、カメラモジュール１５０、ＧＰＳモジュール１５５、入／出力モジュール１６０、センサモジュール１７０、格納部１７５、及び電源供給部１８０を含む。サブ通信モジュール１３０は、無線ＬＡＮモジュール１３１及び近距離通信モジュール１３２のうちの少なくとも１つを含み、マルチメディアモジュール１４０は、放送通信モジュール１４１、オーディオ再生モジュール１４２、及びビデオ再生モジュール１４３のうち、少なくとも１つを含む。カメラモジュール１５０は、第１カメラ１５１及び第２カメラ１５２のうちの少なくとも１つを含み、入／出力モジュール１６０は、ボタン１６１、マイク１６２、スピーカー１６３、振動モータ１６４、コネクタ１６５、キーパッド１６６、及びイヤホンジャック１６７のうち、少なくとも１つを含む。以下、上記タッチスクリーン１９０及びタッチスクリーンコントローラ１９５が各々タッチスクリーン及びタッチスクリーンコントローラである場合を例として説明する。
【００２８】
制御部１１０は、ＣＰＵ１１１、装置１００の制御のための制御プログラムが格納されたＲＯＭ１１２、及び装置１００の外部から入力される信号またはデータを記憶するか、装置１００で実行されるタスクのための記憶領域として使われるＲＡＭ１１３を含むことができる。ＣＰＵ１１１は、シングルコア、デュアルコア、トリプルコア、またはクワッドコアを含むことができる。ＣＰＵ１１１、ＲＯＭ１１２及びＲＡＭ１１３は、内部バス（bus）を通じて相互に連結される。
【００２９】
制御部１１０は、移動通信モジュール１２０、サブ通信モジュール１３０、マルチメディアモジュール１４０、カメラモジュール１５０、ＧＰＳモジュール１５５、入／出力モジュール１６０、センサモジュール１７０、格納部１７５、電源供給部１８０、タッチスクリーン１９０、及びタッチスクリーンコントローラ１９５を制御することができる。
【００３０】
移動通信モジュール１２０は、制御部１１０の制御によって少なくとも１つ−１つまたは複数−のアンテナ（図示せず）を用いて移動通信を介して装置１００が外部装置と接続されるようにする。移動通信モジュール１２０は、装置１００に入力される電話番号を有する携帯電話（図示せず）、スマートフォン（図示せず）、タブレットＰＣ、または他の装置（図示せず）と音声通話、画像通話、文字メッセージ（ＳＭＳ）、またはマルチメディアメッセージ（ＭＭＳ）のための無線信号を送／受信する。
【００３１】
サブ通信モジュール１３０は、無線ＬＡＮモジュール１３１と近距離通信モジュール１３２のうち、少なくとも１つを含むことができる。例えば、無線ＬＡＮモジュール１３１のみを含んだり、近距離通信モジュール１３２のみを含んだり、または無線ＬＡＮモジュール１３１と近距離通信モジュール１３２を全て含んだりしてもよい。
【００３２】
無線ＬＡＮモジュール１３１は、制御部１１０の制御によって無線アクセスポイント（ＡＰ：access point）（図示せず）が設置された場所でインターネットに接続できる。無線ＬＡＮモジュール１３１は、米国電気電子学会（ＩＥＥＥ）の無線ＬＡＮ規格（ＩＥＥＥ８０２．１１ｘ）をサポートする。近距離通信モジュール１３２は、制御部１１０の制御によって装置１００と画像形成装置（図示せず）との間に無線で近距離通信をすることができる。近距離通信方式は、ブルートゥース（bluetooth）（登録商標）、赤外線通信（ＩｒＤＡ：infrared data association）、ワイファイダイレクト（WiFi-Direct）（登録商標）通信、ＮＦＣ（Near Field Communication）などが含まれてもよい。
【００３３】
装置１００は、性能によって、移動通信モジュール１２０、無線ＬＡＮモジュール１３１、及び近距離通信モジュール１３２のうち、少なくとも１つを含んでもよい。例えば、装置１００は、性能によって、移動通信モジュール１２０、無線ＬＡＮモジュール１３１、及び近距離通信モジュール１３２の組み合せを含むことができる。
【００３４】
マルチメディアモジュール１４０は、放送通信モジュール１４１、オーディオ再生モジュール１４２、またはビデオ再生モジュール１４３を含むことができる。放送通信モジュール１４１は、制御部１１０の制御によって放送通信アンテナ（図示せず）を介して放送局から送出される放送信号（例、ＴＶ放送信号、ラジオ放送信号、またはデータ放送信号）及び放送付加情報（例、ＥＰＧ（Electric Program Guide）またはＥＳＧ（Electric Service Guide））を受信することができる。オーディオ再生モジュール１４２は、制御部１１０の制御によって格納または受信されるディジタルオーディオファイル（例、ファイル拡張子がｍｐ３、ｗｍａ、ｏｇｇ、またはｗａｖであるファイル）を再生することができる。ビデオ再生モジュール１４３は、制御部１１０の制御によって格納または受信されるディジタルビデオファイル（例、ファイル拡張子がｍｐｅｇ、ｍｐg、ｍｐ４、ａｖｉ、ｍｏｖ、またはｍｋｖであるファイル）を再生することができる。ビデオ再生モジュール１４３は、ディジタルオーディオファイルを再生してもよい。
【００３５】
マルチメディアモジュール１４０は、放送通信モジュール１４１を除いてオーディオ再生モジュール１４２とビデオ再生モジュール１４３とを含むことができる。また、マルチメディアモジュール１４０のオーディオ再生モジュール１４２またはビデオ再生モジュール１４３は制御部１１０に含まれてもよい。
【００３６】
カメラモジュール１５０は、制御部１１０の制御によって静止画またはビデオを撮影する第１カメラ１５１及び第２カメラ１５２のうち、少なくとも１つを含むことができる。また、第１カメラ１５１または第２カメラ１５２は撮影に必要な光量を提供する補助光源（例、フラッシュ（図示せず））を含むことができる。第１カメラ１５１は、上記装置１００の前面に配置され、第２カメラ１５２は上記装置１００の後面に配置できる。それに代えて、第１カメラ１５１と第２カメラ１５２とは隣接（例、第１カメラ１５１と第２カメラ１５２との間隔が１ｃｍより大きく、８ｃｍよりは小さい）するように配置されて３次元静止画または３次元ビデオを撮影することができる。
【００３７】
ＧＰＳモジュール１５５は、地球軌道上にある複数のＧＰＳ衛星（図示せず）から電波を受信し、ＧＰＳ衛星（図示せず）から装置１００までの電波到達時間（Time of Arrival）を用いて装置１００の位置を算出することができる。
【００３８】
入／出力モジュール１６０は、複数のボタン１６１、マイク１６２、スピーカー１６３、振動モータ１６４、コネクタ１６５、キーパッド１６６、及びイヤホンジャック１６７のうち、少なくとも１つを含むことができる。
【００３９】
ボタン１６１は、上記装置１００のハウジングの前面、側面、または後面に形成されてもよく、電源／ロックボタン、ボリュームボタン、メニューボタン、ホームボタン、バックボタン（back button）、及び検索ボタンのうち、少なくとも１つを含むことができる。
【００４０】
マイク１６２は、制御部１１０の制御によって、音声（voice）またはサウンド（sound）の入力を受けて電気的な信号を生成する。
【００４１】
スピーカー１６３は、制御部１１０の制御によって、移動通信モジュール１２０、サブ通信モジュール１３０、マルチメディアモジュール１４０、またはカメラモジュール１５０の多様な信号（例、無線信号、放送信号、ディジタルオーディオファイル、ディジタルビデオファイル、または写真撮影など）に対応するサウンドを装置１００の外部に出力することができる。スピーカー１６３は、装置１００が実行する機能に対応するサウンド（例、電話通話に対応するボタン操作音、または通話接続音）を出力することができる。スピーカー１６３は、上記装置１００のハウジングの適切な位置に１つまたは複数で設けられる。
【００４２】
振動モータ１６４は、制御部１１０の制御によって電気的信号を機械的振動に変換することができる。例えば、マナーモード（ｖｉｂｒａｔｉｏｎ  ｍｏｄｅ）である装置１００は、他の装置（図示せず）から音声通話が受信される場合、振動モータ１６４が動作する。上記装置１００のハウジング内に１つまたは複数の振動モータ１６４が設けられる。振動モータ１６４は、タッチスクリーン１９０上をタッチするユーザのタッチ動作及びタッチスクリーン１９０上でのタッチの連続的な動きに応答して動作してもよい。
【００４３】
コネクタ１６５は、上記装置１００と外部装置（図示せず）または電源ソース（図示せず）を連結するためのインターフェースに利用できる。上記装置１００は、制御部１１０の制御によってコネクタ１６５に連結された有線ケーブルを介して装置１００の格納部１７５に格納されたデータを外部装置（図示せず）に転送するか、または外部装置（図示せず）からデータを受信することができる。この際、上記外部装置は、ドッキングステーションであることもあり、上記データは、外部入力装置、例えば、マウス、キーボードなどから伝達された入力信号であることもある。また、上記装置１００は、コネクタ１６５に連結された有線ケーブルを介して電源ソース（図示せず）から電源の入力を受けたり、上記電源ソースを用いてバッテリー（図示せず）を充電したりすることができる。
【００４４】
キーパッド１６６は、装置１００の制御のためにユーザからキー入力を受信することができる。キーパッド１６６は、装置１００に形成される物理的なキーパッド（図示せず）またはタッチスクリーン１９０に表示される仮想のキーパッド（図示せず）を含む。装置１００に形成される物理的なキーパッド（図示せず）は、装置１００の性能または構造によっては除外されてもよい。
【００４５】
イヤホンジャック（Earphone Jack）１６７には、イヤホン（図示せず）が挿入される。これによって、イヤホンが上記装置１００に連結される。
【００４６】
センサモジュール１７０は、装置１００の状態を検出する少なくとも１つのセンサを含む。例えば、センサモジュール１７０はユーザが装置１００に対して接近したか否かを検出する近接センサと、装置１００の周辺の光量を検出する照度センサとを含むことができる。また、上記センサモジュール１７０はジャイロセンサ（Gyro Sensor）を含むことができる。上記ジャイロセンサは、装置１００の動作（例、装置１００の回転、装置１００に加えられる加速度、または振動）を検出することもでき、地球磁場を用いて方位（point of the compass）を検出することができ、重力方向を検出することもできる。また、上記センサモジュール１７０は大気の圧力を測定して高度を検出する高度計（Altimeter）を含むことができる。上記少なくとも１つのセンサは状態を検出し、検出に対応する信号を生成して制御部１１０に転送することができる。センサモジュール１７０の上記少なくとも１つのセンサは、装置１００の性能によって追加または削除されてもよい。
【００４７】
格納部１７５は、制御部１１０の制御によって、移動通信モジュール１２０、サブ通信モジュール１３０、マルチメディアモジュール１４０、カメラモジュール１５０、ＧＰＳモジュール１５５、入／出力モジュール１６０、センサモジュール１７０、タッチスクリーン１９０の動作に対応するように入／出力される信号またはデータを格納することができる。格納部１７５は、装置１００または制御部１１０の制御のための制御プログラム及びアプリケーションを格納することができる。
【００４８】
“格納部”という用語は、格納部１７５、制御部１１０の内のＲＯＭ１１２、ＲＡＭ１１３、または装置１００に装着されるメモリカード（図示せず）（例、ＳＤカード、メモリスティック）を含む。格納部は、不揮発性メモリ、揮発性メモリ、ハードディスクドライブ（ＨＤＤ）、またはソリッドステートドライブ（ＳＳＤ）を含むことができる。
【００４９】
電源供給部１８０は、制御部１１０の制御によって装置１００のハウジングに配置される１つまたは複数のバッテリー（図示せず）に電源を供給することができる。１つまたは複数のバッテリー（図示せず）は、装置１００に電源を供給する。また、電源供給部１８０はコネクタ１６５と連結された有線ケーブルを介して外部の電源ソース（図示せず）から入力される電源を装置１００に供給することができる。また、電源供給部１８０は、無線充電技術により外部の電源ソースから無線で入力される電源を装置１００に供給することもできる。
【００５０】
タッチスクリーン１９０は、ユーザに多様なサービス（例、通話、データ転送、放送、写真撮影）に対応するユーザーインターフェースを提供することができる。タッチスクリーン１９０は、ユーザーインターフェースに入力される少なくとも１つのタッチに対応するアナログ信号をタッチスクリーンコントローラ１９５に転送することができる。タッチスクリーン１９０は、ユーザの身体（例、親指を含む指）、またはタッチ可能な入力手段（例、スタイラスペン）を通じて少なくとも１つのタッチの入力を受けることができる。また、タッチスクリーン１９０は少なくとも１つのタッチのうち、１つのタッチの連続的な動きの入力を受けることができる。タッチスクリーン１９０は、入力されるタッチの連続的な動きに対応するアナログ信号をタッチスクリーンコントローラ１９５に転送することができる。
【００５１】
本発明において、タッチはタッチスクリーン１９０とユーザの身体またはタッチ可能な入力手段との接触に限定されず、非接触を含むことができる。タッチスクリーン１９０において検出可能な間隔は、装置１００の性能または構造によって異なる。
【００５２】
タッチスクリーン１９０は、例えば、抵抗膜（resistive）方式、静電容量（capacitive）方式、赤外線（infrared）方式、または超音波（acoustic wave）方式により具現化される。
【００５３】
タッチスクリーンコントローラ１９５は、タッチスクリーン１９０から受信されたアナログ信号をディジタル信号（例、ＸＹ座標）に変換して制御部１１０に転送する。制御部１１０は、タッチスクリーンコントローラ１９５から受信されたディジタル信号を用いてタッチスクリーン１９０を制御することができる。例えば、制御部１１０はタッチに応答してタッチスクリーン１９０に表示された短縮アイコン（図示せず）が選択されるようにするか、または短縮アイコン（図示せず）を実行することができる。また、タッチスクリーンコントローラ１９５は制御部１１０に含まれることもできる。
【００５４】
図２は、本発明の一実施形態に従う端末装置の前方斜視図である。図３は、本発明の一実施形態に従う端末装置の後方斜視図である。
【００５５】
図２を参照すると、装置１００の前面１００ａの中央にはタッチスクリーン１９０が配置される。上記タッチスクリーン１９０は、装置１００の前面１００ａの大部分を占めるように大きく形成される。図２は、上記タッチスクリーン１９０にメインホーム画面が表示された例を示す。メインホーム画面は、装置１００の電源を入れた時、上記タッチスクリーン１９０上に表示される最初の画面である。また、上記装置１００が多数のページの互いに異なるホーム画面を有している場合、メインホーム画面は、上記多数のページのホーム画面のうち、予め設定されたホーム画面（例えば、最初のホーム画面）でありうる。ホーム画面には、よく使われるアプリケーションを実行するための短縮アイコン１９１−１、１９１−２、１９１−３、アプリケーション切換キー１９１−４、時間、天気などが表示される。上記アプリケーション切換キー１９１−４は、上記タッチスクリーン１９０の上にアプリケーションを示すアプリケーションアイコンを画面上に表示する。また、上記タッチスクリーン１９０の上端にはバッテリー充電状態、受信信号の強さ、現在時刻のような装置１００の状態を表示する状態バー（Status Bar）１９２が形成されてもよい。
【００５６】
上記タッチスクリーン１９０の下部にはホームボタン１６１ａ、メニューボタン１６１ｂ、及びバックボタン１６１ｃが形成されてもよい。
【００５７】
ホームボタン１６１ａは、タッチスクリーン１９０にメインホーム画面（main Home screen）を表示する。例えば、タッチスクリーン１９０に上記メインホーム画面と異なるホーム画面（any Home screen）またはメニュー画面が表示された状態で、上記ホームボタン１６１ａが押されれば（または、タッチされれば）、タッチスクリーン１９０にメインホーム画面が表示される。また、タッチスクリーン１９０上でアプリケーションが実行される途中、ホームボタン１６１ａが押されれば（または、タッチされれば）、上記タッチスクリーン１９０上には図２に図示されたメインホーム画面が表示される。また、ホームボタン１６１ａは上記タッチスクリーン１９０上に最近に（recently）使われたアプリケーションを表示するか、または、タスクマネジャー（Task Manager）を表示するために使われてもよい。
【００５８】
メニューボタン１６１ｂは、タッチスクリーン１９０上で使用できる操作メニューを提供する。上記操作メニューには、ウィゼット追加メニュー、背景画面変更メニュー、検索メニュー、編集メニュー、環境設定メニューなどが含まれてもよい。そして、アプリケーション実行時、上記アプリケーションに関連する操作メニューが提供されてもよい。
【００５９】
バックボタン１６１ｃは、現在実行されている画面の直前に実行されていた画面を表示したり、直近に使われたアプリケーションを終了させたりすることができる。
【００６０】
装置１００の前面１００ａの縁部には第１カメラ１５１、スピーカー１６３、照度センサ１７０ａ及び近接センサ１７０ｂが配置されるとよい。装置１００の後面１００ｃには、第２カメラ１５２、フラッシュ（flash）１５３、及び、スピーカー１６３が配置されるとよい。
【００６１】
装置１００の側面１００ｂには、例えば電源／リセットボタン１６１ｄ、音量調節ボタン１６１ｅ、放送受信のための地上波ＤＭＢアンテナ１４１ａ、１つまたは複数のマイク１６２などが配置されてもよい。上記ＤＭＢアンテナ１４１ａは装置１００に固定されるか、または着脱可能に形成されてもよい。
【００６２】
また、装置１００の下端側面にはコネクタ１６５が形成される。コネクタ１６５には多数の電極が形成されており、外部装置と有線で連結できる。装置１００の上端側面にはイヤホンジャック１６７が形成される。イヤホンジャック１６７にはイヤホンが挿入できる。
【００６３】
図４は、本発明の一実施形態に従うサーバの構成を示す図である。このようなサーバ２００、３００、４００の代表的な構成はウォレットアプリケーションに関するものであり、このようなサーバ２００、３００、４００の代表的な構成は概略的なものであり、前述した端末装置１００の代表的な構成に図示された一部の構成要素が必要によって追加されてもよい。
【００６４】
図４を参照すると、チケットサーバ２００は、制御部２１０、通信部２２０、及び格納部２３０を含むことができる。上記制御部２１０は、第１プロバイダサーバから第１ウォレット構成要素を受信し、第２プロバイダサーバから少なくとも１つのウォレット追加構成要素を受信する。そして、上記制御部２１０は、上記第１ウォレット構成要素及び上記少なくとも１つのウォレット追加構成要素を上記端末装置１００に送信する。上記通信部２２０は、上記端末装置、上記第１プロバイダサーバ、及び上記第２プロバイダサーバと通信を行う。上記格納部２３０は、上記第１ウォレット構成要素及び追加構成要素を格納する。
【００６５】
第１プロバイダサーバ３００は、制御部３１０、通信部３２０、及び格納部３３０を含むことができる。上記制御部３１０は、第１ウォレット構成要素をチケットサーバ２００に転送する。上記通信部３２０は、上記端末装置、上記チケットサーバ、及び第２プロバイダサーバと通信を行う。上記格納部３３０は、上記ウォレット構成要素を格納する。
【００６６】
第２プロバイダサーバ４００は、制御部４１０、通信部４２０、及び格納部４３０を含むことができる。上記制御部４１０は、ウォレット追加構成要素をチケットサーバ２００に転送する。そして、上記制御部４１０は選択されたウォレット追加構成要素に対する発行に対するリクエストを上記端末装置１００から受信し、上記リクエストされたウォレット追加構成要素の発行が可能か否かを確認し、上記ウォレット追加構成要素を発行し、発行されたウォレット追加構成要素を送信する。上記通信部４２０は、上記端末装置、上記チケットサーバ、及び第１プロバイダサーバと通信を行う。上記格納部４３０は、上記ウォレット追加構成要素を格納する。
【００６７】
図５は、本発明の一実施形態に従う第１ウォレット構成要素に関する提携情報を伝達する端末装置制御方法に関するフローチャートである。
【００６８】
図５を参照すると、まず、第１プロバイダサーバによって第１ウォレット構成要素がチケットサーバに登録され、第２プロバイダサーバによってウォレット追加構成要素が上記チケットサーバに登録される（ステップＳ１１０）。
【００６９】
上記第１ウォレット構成要素は、上記第１プロバイダサーバ３００によって上記チケットサーバ２００に登録される。即ち、上記第１プロバイダサーバ３００に格納された上記第１ウォレット構成要素は上記チケットサーバ２００に転送され、上記チケットサーバ２００の格納部２３０に格納される。この際、上記第１プロバイダサーバ３００の制御部３１０は、上記第１ウォレット構成要素を上記チケットサーバ２００に転送させることができる。したがって、上記チケットサーバ２００への登録は上記第１プロバイダサーバ３００から転送された上記第１ウォレット構成要素が上記チケットサーバ２００の格納部２３０に格納されることを意味する。上記第１ウォレット構成要素の上記第１プロバイダサーバ３００から上記チケットサーバ２００への転送は上記第１プロバイダサーバ３００の通信部３１０と上記チケットサーバ２００の通信部２１０を用いて行われる。
【００７０】
そして、上記チケットサーバ２００は、上記第１プロバイダサーバ３００とは相異なる別のサーバである。即ち、上記第１プロバイダサーバ３００の第１ユーザ（第１プロバイダを意味する）は自身のサーバ２００とは相異なる別のサーバ３００に自身の第１ウォレット構成要素を登録させることができる。そして、上記チケットサーバ２００の管理者は、複数のプロバイダサーバから複数の第１ウォレット構成要素の登録を受けて管理することができる。
【００７１】
この際、上記第１ウォレット構成要素は、クーポン、チケット、またはカードであってもよい。上記クーポンは商店で使うことができる割引券であってもよい。例えば、上記クーポンはスーパーマーケットでシャンプー購入時に使える一定金額の割引券であってもよい。そして、上記チケットは使用場所の入場のために使われてもよい。例えば、上記チケットは飛行機搭乗のための搭乗券であってもよく、映画館の入場のための入場券であってもよい。そして、上記カードはメンバーシップカードやクレディットカードであってもよい。例えば、上記カードはスーパーマーケットで使うことができるメンバーシップカードであってもよい。
【００７２】
したがって、上記第１ウォレット構成要素は、上記第１プロバイダサーバ３００によって上記チケットサーバ２００に登録される。この際、上記第１ウォレット構成要素は、クーポン、チケット、またはカードであってもよい。したがって、上記チケットサーバ２００にはクーポン、チケット、またはカードのような上記第１ウォレット構成要素が登録される。例えば、飛行機チケットが上記第１プロバイダサーバ３００によって上記チケットサーバ２００に登録される。即ち、上記第１プロバイダサーバ３００に格納されている上記飛行機チケットが上記チケットサーバ２００の格納部２３０に格納されて登録できる。例えば、Ｋ航空会社（Airline）のような第１プロバイダは自身のプロバイダサーバ３００に格納された飛行機チケットを上記チケットサーバ２００に登録することができる。そして、上記チケットサーバ２００の管理者は、上記Ｋ航空会社への第１プロバイダサーバ３００から受信した上記飛行機チケットを格納して管理することができる。したがって、上記チケットサーバ２００は、複数のプロバイダサーバからクーポン、チケット、またはカードのような第１ウォレット構成要素を受信して登録した後、管理することができる。併せて、上記第１プロバイダサーバ３００の第１ユーザ（第１プロバイダ）は、自身のクーポン、チケット、またはカードのような第１ウォレット構成要素（チケット）を上記チケットサーバ２００に登録して上記チケットサーバ２００で提供するサービスを利用することができる。
【００７３】
そして、上記第１ウォレット構成要素は、上記第１プロバイダサーバ３００から受信された共通情報と可変情報とを含む。上記共通情報は、上記第１ウォレット構成要素を形成する情報のうち、固定された情報を意味する。即ち、複数の第１ウォレット構成要素の間で決められて共通する情報を意味する。反対に、上記可変情報は上記第１ウォレット構成要素を形成する情報のうち、変更可能な情報を意味する。即ち、複数の第１ウォレット構成要素の間に変更可能で共通しない情報を意味する。例えば、上記共通情報は上記第１ウォレット構成要素の表示レイアウトであり、上記可変情報は上記第１ウォレット構成要素の詳細情報でありうる。即ち、上記共通情報に該当する上記第１ウォレット構成要素の表示レイアウトは複数の第１ウォレット構成要素との間で決められて共通する情報でありうる。反対に、上記可変情報に該当する上記第１ウォレット構成要素の詳細情報は、上記第１ウォレット構成要素を形成する情報のうち、変更可能な情報でありうる。
【００７４】
図６は、第１ウォレット構成要素及びウォレット追加構成要素を示す図である。図６を参照すると、上記第１ウォレット構成要素はチケットの例が図示されている。即ち、図６の上記第１ウォレット構成要素は航空券チケットに該当する。図６の飛行機チケットに該当する上記第１ウォレット構成要素には、プロバイダイメージロゴ、プロバイダ名５００、チケットの詳細情報５０２、上記チケットに対応するバーコード、上記バーコードの数字が含まれてもよい。例えば、図６のように、飛行機イメージのようなプロバイダイメージロゴ、‘K AIRLINE’のようなプロバイダ名５００、FLIGHT NUMBERに該当するＫ００１、San Franciscoに該当する出発地、Inchonに該当する到着地、ゲートナンバー、席ナンバー、席の等級を含むチケットの詳細情報５０２、上記チケットに対応するバーコード、‘１２３４−５６７８−９０１２’のような上記バーコードの数字が上記ウォレット構成要素に含まれてもよい。
【００７５】
この際、図６に図示された上記ウォレット構成要素は上記第１プロバイダサーバ３００から受信された共通情報と可変情報とを含むことができる。そして、上記共通情報は上記ウォレット構成要素の表示レイアウトであり、上記可変情報は上記ウォレット構成要素の詳細情報でありうる。したがって、プロバイダイメージロゴとプロバイダ名５００が上端に表示され、チケットの詳細情報５０２が中央に表示され、上記チケットに対応するバーコードと上記バーコードの数字が下端に表示される表示レイアウトは共通情報でありうる。したがって、上記共通情報に該当する上記ウォレット構成要素の表示レイアウトは複数のウォレット構成要素との間で決められて変更が不可能な共通する情報でありうる。
【００７６】
反対に、上記可変情報は、上記第１ウォレット構成要素の詳細情報に該当するFLIGHT NUMBERに該当するK001 San Franciscoに該当する出発地、Inchonに該当する到着地、ゲートナンバー、席ナンバー、席の等級を含むチケットの詳細情報５０２、上記チケットに対応するバーコード、‘１２３４−５６７８−９０１２’のような上記バーコードの数字でありうる。この際、上記可変情報に該当する上記ウォレット構成要素の詳細情報は上記ウォレット構成要素を形成する情報のうち、変更可能な情報でありうる。
【００７７】
したがって、上記第１プロバイダサーバ３００の第１ユーザは上記共通情報に該当する上記第１ウォレット構成要素の表示レイアウトは変更させず、上記可変情報は上記ウォレット構成要素の詳細情報のみを変更させることができる。即ち、上記第１プロバイダサーバ３００の第１ユーザは複数のウォレット構成要素に対して上記共通情報に該当する上記第１ウォレット構成要素の表示レイアウトは変更させず、上記可変情報に該当する上記第１ウォレット構成要素の詳細情報のみを変更させて上記チケットサーバ２００に登録させることができる。
【００７８】
したがって、本発明の一実施形態によれば、上記可変情報に該当する上記第１ウォレット構成要素の詳細情報のみを変更させて上記チケットサーバ２００に登録して簡単な方法で多様なウォレット構成要素をチケットサーバに登録させることができる利点がある。
【００７９】
上記ウォレット追加構成要素は、上記第２プロバイダサーバ４００から上記チケットサーバ２００に登録できる。即ち、上記第２プロバイダサーバ４００に格納された上記ウォレット追加構成要素は上記チケットサーバ２００に転送されて上記チケットサーバ２００の格納部２３０に格納できる。この際、上記第２プロバイダサーバ４００の制御部４１０は上記ウォレット追加構成要素を上記チケットサーバ２００に転送させることができる。したがって、上記チケットサーバ２００への登録は上記第２プロバイダサーバ４００から転送された上記ウォレット追加構成要素が上記チケットサーバ２００の格納部２３０に格納されることを意味する。上記ウォレット追加構成要素の上記第２プロバイダサーバ４００から上記チケットサーバ２００への転送は上記第２プロバイダサーバ４００の通信部４１０と上記チケットサーバ２００の通信部２１０とを用いて行われる。
【００８０】
そして、上記チケットサーバ２００は上記第２プロバイダサーバ４００とは相異なる別のサーバである。即ち、上記第２プロバイダサーバ４００の第２ユーザ（第２プロバイダを意味する）は、自身のサーバ４００とは相異まる別のサーバ２００に自身のウォレット追加構成要素を登録させることができる。そして、上記チケットサーバ２００の管理者は、複数のプロバイダサーバから複数のウォレット追加構成要素の登録を受けて管理することができる。
【００８１】
この際、上記ウォレット追加構成要素は、例えばクーポン、チケット、または上記第１ウォレット構成要素と関連したカードでありうる。上記クーポンは商店で使うことができる割引券であってもよい。例えば、上記クーポンはスーパーマーケットでシャンプー購入時に使うことができる一定金額の割引券であってもよい。そして、上記チケットは使用場所の入場のために使われてもよい。例えば、上記チケットは飛行機搭乗のための搭乗券であってもよく、映画館の入場のための入場券であってもよい。そして、上記カードはメンバーシップカードやクレディットカードであってもよい。例えば、上記カードはスーパーマーケットで使うことができるメンバーシップカードであってもよい。
【００８２】
したがって、上記ウォレット追加構成要素は、上記第２プロバイダサーバ４００によって上記チケットサーバ２００に登録される。この際、上記ウォレット追加構成要素は、クーポン、チケット、またはカードであってもよい。したがって、上記チケットサーバ２００には、クーポン、チケット、またはカードのような上記ウォレット追加構成要素が登録される。例えば、飛行機チケットが上記第２プロバイダサーバ４００によって上記チケットサーバ２００に登録される。即ち、上記第２プロバイダサーバ４００に格納されている上記飛行機チケットが上記チケットサーバ２００の格納部２３０に格納されて登録される。例えば、Ｓコーヒー社（Coffee）のような第２プロバイダは、自身のプロバイダサーバ４００に格納されたコーヒークーポンを上記チケットサーバ２００に登録することができる。そして、上記チケットサーバ２００の管理者は上記Ｓコーヒー社への第２プロバイダサーバ４００から受信した上記コーヒークーポンを格納して管理することができる。したがって、上記チケットサーバ２００は複数のプロバイダサーバからクーポン、チケット、またはカードのような少なくとも１つのウォレット追加構成要素を受信して登録した後、管理することができる。併せて、上記第２プロバイダサーバ４００の第２ユーザ（第２プロバイダ）は自身のクーポン、チケット、またはカードのようなウォレット追加構成要素（チケット）を上記チケットサーバ２００に登録して上記チケットサーバ２００で提供するサービスを利用することができる。
【００８３】
そして、上記ウォレット追加構成要素は、上記第２プロバイダサーバ４００から受信された共通情報と可変情報とを含む。上記共通情報は、上記ウォレット追加構成要素を形成する情報のうち、固定された情報を意味する。即ち、複数のウォレット追加構成要素との間で決められて共通する情報を意味する。反対に、上記可変情報は上記ウォレット追加構成要素を形成する情報のうち、変更可能な情報を意味する。即ち、複数のウォレット追加構成要素の間に変更可能で、共通しない情報を意味する。例えば、上記共通情報は上記ウォレット追加構成要素の表示レイアウトであり、上記可変情報は上記ウォレット追加構成要素の詳細情報でありうる。即ち、上記共通情報に該当する上記ウォレット追加構成要素の表示レイアウトは、複数のウォレット追加構成要素の間に固定されて共通する情報でありうる。反対に、上記可変情報に該当する上記ウォレット追加構成要素の詳細情報は上記ウォレット追加構成要素を形成する情報のうち、変更可能な情報でありうる。
【００８４】
図６は、ウォレット構成要素及びウォレット追加構成要素を示す図である。図６を参照すると、上記ウォレット追加構成要素６００はクーポンの例が図示されている。即ち、図６の上記ウォレット追加構成要素はコーヒークーポンに該当する。図６のコーヒークーポンに該当する上記ウォレット追加構成要素にはプロバイダイメージロゴ及びプロバイダ名と、クーポンの詳細情報６０２が含まれてもよい。例えば、図６のように、コーヒーカップのようなプロバイダイメージロゴ、‘S Coffee’のようなプロバイダ名、０．４ドルの割引額の詳細情報６０２が上記ウォレット追加構成要素に含まれてもよい。
【００８５】
この際、図６に図示された上記ウォレット追加構成要素は、上記第２プロバイダサーバ４００から受信された共通情報と可変情報とを含むことができる。そして、上記共通情報は上記ウォレット追加構成要素の表示レイアウトであり、上記可変情報は上記ウォレット追加構成要素の詳細情報でありうる。したがって、プロバイダイメージロゴとプロバイダ名６００が上端左側に表示され、クーポンの詳細情報６０２が下端右側に表示される表示レイアウトは共通情報でありうる。したがって、上記共通情報に該当する上記ウォレット追加構成要素の表示レイアウトは複数のウォレット追加構成要素との間で決められて変更が不可能な共通する情報でありうる。
【００８６】
反対に、上記可変情報は、上記ウォレット追加構成要素の詳細情報に該当する０．４ドルの割引額の詳細情報６０２でありうる。この際、上記可変情報に該当する上記ウォレット追加構成要素の詳細情報は上記ウォレット追加構成要素を形成する情報のうち、変更可能な情報でありうる。
【００８７】
したがって、上記第２プロバイダサーバ４００の第２ユーザは、上記共通情報に該当する上記ウォレット追加構成要素の表示レイアウトは変更させず、上記可変情報は上記ウォレット追加構成要素の詳細情報のみを変更させることができる。即ち、上記第２プロバイダサーバ４００の第２ユーザは複数のウォレット追加構成要素に対して上記共通情報に該当する上記ウォレット追加構成要素の表示レイアウトは変更させず、上記可変情報に該当する上記ウォレット追加構成要素の詳細情報のみを変更させて上記チケットサーバ２００に登録させることができる。
【００８８】
したがって、本発明の一実施形態によれば、上記可変情報に該当する上記ウォレット追加構成要素の詳細情報のみを変更させて上記チケットサーバ２００に登録して簡単な方法で多様なウォレット追加構成要素をチケットサーバに登録させることができる利点がある。
【００８９】
そして、上記ウォレット追加構成要素は上記ウォレット構成要素との提携情報である。即ち、上記ウォレット構成要素の第１プロバイダ（第１ユーザ）は上記ウォレット追加構成要素の第２プロバイダ（第２ユーザ）と提携が結ばれた関係である。例えば、図６では、上記第１ウォレット構成要素は飛行機チケットであり、上記第１プロバイダ（第１ユーザ）は‘K Airline’であり、上記ウォレット追加構成要素はコーヒークーポンであり、上記第２プロバイダ（第２ユーザ）は‘S Coffee’である。この場合、上記第１プロバイダ（第１ユーザ）である‘K Airline’は上記第２プロバイダ（第２ユーザ）である‘S Coffee’と提携が結ばれた関係である。したがって、上記第１ウォレット構成要素である‘K Airline’の飛行機チケットが空港で使われる時、上記空港に位置した‘S Coffee’のコーヒークーポンを使うことができる。したがって、端末装置１００のユーザに対して、上記‘K Airline’の飛行機チケットと‘S Coffee’のコーヒークーポンを同時に表示することによって、上記‘S Coffee’の広告効果を増大させることができる。
【００９０】
したがって、本発明の一実施形態によれば、第１ウォレット構成要素と共にウォレット追加構成要素を端末装置のユーザに提供して、ウォレット追加構成要素のプロバイダに対する広告効果を増大させることができる利点がある。
【００９１】
次に、端末装置は、上記第１ウォレット構成要素及び上記ウォレット追加構成要素を受信する（ステップＳ１２０）。上記端末装置１００は、上記第１ウォレット構成要素及び上記ウォレット追加構成要素を上記チケットサーバ２００から受信することができる。
【００９２】
次に、上記第１ウォレット構成要素及び上記ウォレット追加構成要素を格納する（ステップＳ１２５）。上記端末装置１００の制御部１１０は、受信した上記第１ウォレット構成要素及び上記ウォレット追加構成要素を格納部１３０に格納させることができる。
【００９３】
次に、上記第１ウォレット構成要素及び上記ウォレット追加構成要素をタッチスクリーンの上に表示する（ステップＳ１３０）。上記端末装置１００の制御部１１０は、上記第１ウォレット構成要素及び上記ウォレット追加構成要素をタッチスクリーン１９０上に表示することができる。例えば、図６のように、上記制御部１１０は飛行機チケットのような上記第１ウォレット構成要素５００、及びコーヒークーポンのような上記ウォレット追加構成要素６００をタッチスクリーン１９０上に表示することができる。
【００９４】
この際、図６のように、上記制御部１１０は、上記ウォレット構成要素５００を上記タッチスクリーンの上端に表示させ、上記ウォレット追加構成要素６００を上記タッチスクリーンの下端に表示させることができる。
【００９５】
そして、上記ウォレット追加構成要素は複数個であってもよく、複数個のウォレット追加構成要素は上記タッチスクリーンの下端に一列に配列されて表示され、上記複数個のウォレット追加構成要素のうち、表示されたウォレット追加構成要素に対するドラッグまたはフリックにより上記複数個のウォレット追加構成要素はスクロールされてもよい。図７Ａ〜Ｃは、タッチスクリーンの上に表示されたウォレット追加構成要素がスクロールされる場面を示す図である。図７Ａを参照すると、上記ウォレット追加構成要素は複数個であり、複数個のウォレット追加構成要素６００、６００−２、６００−６は、上記タッチスクリーン１９０の下端に一列に配列されて表示される。そして、上記複数個のウォレット追加構成要素のうち、上記タッチスクリーン上に表示されたウォレット追加構成要素６００に対するドラッグまたはフリックにより上記複数個のウォレット追加構成要素をスクロールすることができる。例えば、上記制御部１１０は、上記タッチスクリーン上に表示されたウォレット追加構成要素６００に対する左方のドラッグまたはフリックが検出されれば、上記複数個のウォレット追加構成要素を左側にスクロールして、図７Ｂのように、６００番のウォレット追加構成要素の右側に位置した６００−２のウォレット追加構成要素を上記タッチスクリーン上に表示することができる。また、図７Ａで上記制御部１１０は上記タッチスクリーンの上に表示されたウォレット追加構成要素６００に対する右側方向のドラッグまたはフリックが検出されれば、上記複数個のウォレット追加構成要素を右側にスクロールして、図７Ｃのように、６００番のウォレット追加構成要素の左側に位置した６００−６のウォレット追加構成要素を上記タッチスクリーン上に表示することもできる。
【００９６】
したがって、本発明の一実施形態によれば、第１ウォレット構成要素はタッチスクリーンの上端に表示し、ウォレット追加構成要素はタッチスクリーンの下端に表示することができる。
【００９７】
また、本発明の一実施形態によれば、複数個のウォレット追加構成要素が上記タッチスクリーンの下端に一列に配列されて表示される時、上記複数個のウォレット追加構成要素のうち、表示されたウォレット追加構成要素に対するドラッグまたはフリックにより上記複数個のウォレット追加構成要素をスクロールすることができる利点がある。
【００９８】
次に、上記第１ウォレット追加構成要素に対する選択を検出する（ステップＳ１４０）。上記端末装置１００の制御部１１０は、上記ウォレット追加構成要素に対する選択を検出することができる。この際、上記ウォレット追加構成要素に対する選択は上記タッチスクリーン１９０上に表示された上記ウォレット追加構成要素に対するタッチでありうる。したがって、上記制御部１１０は上記タッチスクリーン１９０上に表示された上記ウォレット追加構成要素に対するタッチが検知されれば、上記ウォレット追加構成要素が選択されたことを検出することができる。図８Ａ〜Ｃは、本発明の一実施形態に従うウォレット追加構成要素の発行を示す図である。図８Ａを参照すると、上記タッチスクリーン上には上記第１ウォレット構成要素５００と上記ウォレット追加構成要素６００が表示されている。この際、上記制御部１１０は、上記タッチスクリーン１９０上に表示された上記ウォレット追加構成要素６００に対するタッチが検知されれば、上記ウォレット追加構成要素６００が選択されたことを検出することができる。
【００９９】
そして、上記制御部１１０は、図８Ｂのように、上記ウォレット追加構成要素６００に対する選択が検出されれば、上記選択されたウォレット追加構成要素に対する発行を上記第２プロバイダサーバにリクエストするか否かを問うポップアップ（７００）を上記タッチスクリーン上に表示することができる。そして、上記制御部１１０は上記選択されたウォレット追加構成要素に対する発行を上記第２プロバイダサーバにリクエストするか否かをユーザに問い合わせるための、はい（YES、７０１）といいえ（NO、７０２）に対応するアイコンを表示することができる。そして、図８Ｂのように上記はい（YES、７０１）に対するアイコンに対するタッチが検出されれば、ステップＳ１５０に進み、反対に、上記いいえ（NO、７０２）に対するアイコンに対するタッチが検出されれば終了する。
【０１００】
次に、上記ウォレット追加構成要素に対する選択が検出されれば、上記選択されたウォレット追加構成要素に対する発行を上記第２プロバイダサーバにリクエストする（ステップＳ１５０）。上記端末装置の制御部１１０は前述したステップＳ１４０で上記ウォレット追加構成要素に対する選択が検出されれば、上記選択されたウォレット追加構成要素に対するリクエストを上記第２プロバイダサーバにリクエストすることができる。この際、上記選択されたウォレット追加構成要素には予め定まったＵＲＬまたは予め定まったＩＤが含まれているとよい。したがって、上記端末装置の制御部１１０は上記予め定まったＵＲＬまたは予め定まったＩＤを上記第２プロバイダサーバ４００に転送して、上記選択されたウォレット追加構成要素に対する発行をリクエストすることもできる。そして、上記予め定まったＵＲＬまたは予め定まったＩＤを上記第２プロバイダサーバ４００に転送して、上記選択されたウォレット追加構成要素に対する発行をリクエストする方法は以下のコンピュータアルゴリズムで具現化されてもよい。
【０１０１】
アルゴリズム開始
{
"head":{
"version": 1,
"serial": "1234abcdefg567890", 
"skinId": "SKIN0001",
"publisher": "Samsung Coupon Service",
... /* 省略 */
},
"view":[
{"id":"ABSTRACT_MIDDLE_VALUE", "text":{"value":"to Pais"}},
{"id":"ABSTRACT_BOTTOM_VALUE", "text":{"value":"2013.2.14 13:00"}},
.... /* 省略 */ 
],  
"alerts":[
{"id":"ALERT1", "date":{"value":"02/14 12:23", "pattern":"MM/DD hh:mm"}}, 
{"id":"ALERT2", "place"{"value":"Inchoen", "latitude": 37.4503, "longitude": 126.4501}},
{"id":"ALERT3","date":{"value":"02/14 18:30", "pattern":"MM/DD hh:mm"}}, 
{"id":"ALERT1", "place"{"value":"Paris", "latitude": 9.4503, "longitude": 130.4501}}
],
"partners”:[
{"id":”PARTNER1_BANNER”, “text”:{ "value":" https://starbucks.com/banner/123"}},
{"id":"PARTNER1_TICKET", "link":{"value":"https://starbucks.com/ticket/123"}
{"id":”PARTNER2_BANNER”, “text”:{ "value":" https://coffeebean.com/banner/123"}},
{"id":"PARTNER2_TICKET", "link":{"value": https://coffeebean.com/ticket/123 }
}
]
}
アルゴリズム終了
上記アルゴリズムにおいて、上記“partners”部分に上記選択されたウォレット追加構成要素に対応する予め定まったＵＲＬまたは予め定まったＩＤが含まれている。即ち、上記アルゴリズムの“partners”部分によって、上記選択されたウォレット追加構成要素に対応する予め定まったＵＲＬが各々与えられる。したがって、上記端末装置の制御部１１０は上記予め定まったＵＲＬまたは予め定まったＩＤを上記第２プロバイダサーバ４００に転送して、上記選択されたウォレット追加構成要素に対する発行をリクエストすることもできる。
【０１０２】
次に、上記第２プロバイダサーバは上記リクエストされたウォレット追加構成要素に関する発行の可否を確認する（ステップＳ１５５）。上記第２プロバイダサーバ４００の制御部４１０は、上記リクエストされたウォレット追加構成要素に関する発行の可否を確認することができる。例えば、上記リクエストされたウォレット追加構成要素に該当するクーポンの満了日が２０１２．１２．２４であるが、現在日付が２０１２．１２．２６である場合には、上記クーポンの満了日を過ぎているので、上記クーポンを使用することができない。したがって、このようにクーポンの満了日が過ぎた場合のように、上記第２プロバイダサーバ４００の制御部４１０は上記リクエストされたウォレット追加構成要素に関する発行の可否を確認することができる。したがって、上記リクエストされたウォレット追加構成要素に関する発行が可能な場合にはステップＳ１６０に進み、反対に、上記リクエストされたウォレット追加構成要素に関する発行が不可能な場合には終了する。
【０１０３】
次に、上記第２プロバイダサーバは上記リクエストされたウォレット追加構成要素を発行する（ステップＳ１６０）。前述したステップＳ１５５で上記リクエストされたウォレット追加構成要素に関する発行が可能な場合には、上記第２プロバイダサーバ４００は上記リクエストされたウォレット追加構成要素を発行する。
【０１０４】
次に、上記端末装置は上記発行されたウォレット追加構成要素を受信する（ステップＳ１７０）。上記第２プロバイダサーバ４００は上記発行されたウォレット追加構成要素を上記端末装置１００に送信し、上記端末装置１００は上記発行されたウォレット追加構成要素を受信する。
【０１０５】
次に、上記発行されたウォレット追加構成要素を上記タッチスクリーン上に表示する（ステップＳ１８０）。上記端末装置１００の制御部１１０は、ステップＳ１７０で受信した上記発行されたウォレット追加構成要素を上記タッチスクリーン上に表示する。例えば、図８Ｃのように、上記端末装置１００の制御部１１０は、コーヒークーポンのような上記発行されたウォレット追加構成要素８０２を上記タッチスクリーン上に表示することができる。そして、このとき、図８Ｃには図示してはいないが、上記発行されたウォレット追加構成要素８０２に対応するウォレット追加構成要素も存在してもよい。即ち、図８Ｃのように、‘S Coffee’社と提携が結ばれた‘B Snack’社のスナッククーポンのようなウォレット追加構成要素が存在してもよい。この際、上記‘B Snack’社のスナッククーポンのようなウォレット追加構成要素は上記‘S Coffee’社のクーポン下端に表示されてもよい。そして、上記‘B Snack’社のスナッククーポンのようなウォレット追加構成要素に対する選択が検出されれば、前述したステップＳ１４０からステップＳ１８０が反復実行される。
【０１０６】
したがって、本発明の一実施形態によれば、ウォレット構成要素と提携関係にあるウォレット追加構成要素に対する選択が検出されれば、上記選択されたウォレット追加構成要素に対する発行を第２プロバイダサーバにリクエストして上記ウォレット追加構成要素の発行を受けることができる利点がある。そして、本発明の一実施形態によれば、上記ウォレット追加構成要素が連鎖的にタッチスクリーンの上に表示されて、上記ウォレット追加構成要素を連鎖的に発行させることができる利点がある。
【０１０７】
そして、図９Ａ、Ｂは発行されたウォレット追加構成要素を表示する画面がウォレット構成要素を表示する画面に変換される場面を示す図である。前述したように、図８Ｃに表示された上記発行されたウォレット追加構成要素８０２が図９Ｂのように表示されてもよい。即ち、図９Ｂのように、上記発行されたウォレット追加構成要素８０２に上記ウォレット構成要素８０３が共に下端に表示されてもよい。この際、上記ウォレット構成要素８０３に対する選択（タッチ）が検出されれば、上記制御部１１０はまた上記ウォレット構成要素５００を図９Ａのようにタッチスクリーン上に表示することができる。したがって、上記発行されたウォレット追加構成要素８０２を表示する画面は上記ウォレット構成要素５００を表示する画面に変換されて表示されてもよい。
【０１０８】
図１０は、本発明の他の実施形態に従うウォレット構成要素に関する提携情報を伝達する端末装置制御方法に関するフローチャートである。図１０に図示された本発明の他の実施形態に従うフローチャートは、図５に図示されたステップＳ１１０からステップＳ１７０までのステップの後のステップを示すフローチャートである。したがって、図１０に図示された本発明の他の実施形態は、図５に図示されたステップＳ１１０からステップＳ１７０までを先に含み、ステップＳ１７０の次にステップＳ２００からステップＳ２４０が実行される。以下、ステップＳ２００からステップＳ２４０を説明する。
【０１０９】
図１０を参照すると、次に、上記発行されたウォレット追加構成要素に対応するアプリケーションがインストールされているかを確認する（ステップＳ２００）。上記端末装置１００の制御部１１０は、前述したステップＳ１７０で受信した上記発行されたウォレット追加構成要素に対応するアプリケーションがインストールされているかを確認する。図１１Ａ〜Ｄは、本発明の他の実施形態に従う発行されたウォレット追加構成要素に対応するアプリケーションを実行する場面を示す図である。例えば、図１１Ａを参照すると、上記発行されたウォレット追加構成要素は‘S Coffee’社のコーヒークーポンである。この際、上記制御部１１０は‘S Coffee’社のアプリケーションがインストールされているかを確認する。
【０１１０】
次に、上記発行されたウォレット追加構成要素に対応するアプリケーションがインストールされている場合、上記発行されたウォレット追加構成要素に対応するアプリケーションを実行する（ステップＳ２１０）。例えば、図１１Ａで‘S Coffee’社のアプリケーションがインストールされている場合には、上記制御部１１０は‘S Coffee’社のアプリケーションを実行させることができる。この際、図１１Ｂから図１１Ｃのように、上記制御部１１０は前述したステップＳ１４０からステップＳ１７０までのように、上記‘S Coffee’社のアプリケーションを実行させることができる。
【０１１１】
次に、上記発行されたウォレット追加構成要素を表示する（ステップＳ２２０）。上記制御部１１０は、上記発行されたウォレット追加構成要素８０２を図１１Ｃのように上記タッチスクリーン上に表示することができる。
【０１１２】
反対に、上記発行されたウォレット追加構成要素に対応するアプリケーションがインストールされていない場合、アプリケーションストアを実行する（ステップＳ２３０）。上記制御部１１０は、上記発行されたウォレット追加構成要素に対応するアプリケーションがインストールされていない場合、アプリケーションストアを実行させることができる。例えば、図１１Ａで‘S Coffee’社のアプリケーションがインストールされていない場合には、図１１Ｄのように上記‘S Coffee’社のアプリケーションをインストールするか否かを問うポップアップ（９００）を表示することができる。この際、上記制御部１１０は上記‘S Coffee’社のアプリケーションをインストールすることに同意するはい（９０１）に対するアイコン（９０１）と、インストールすることに同意しないいいえ（９０２）に対するアイコンを表示することができる。そして、上記はい（９０１）に対するタッチが検出されれば、上記制御部１１０はアプリケーションストアを実行する。つまり、上記制御部１１０は、パスワード入力などのユーザ認証を実行する。図１１Ｄやアプリケーションストアの実行によって、上記制御部１１０は、ユーザのインストール意思を確認することができる。反対に、上記いいえ（９０２）に対するタッチが検出されれば終了する。例えば、上記制御部１１０は、暗号入力などのユーザ認証を行うことができる。図１１Ｄのように、上記制御部１１０はアプリケーションストアを実行してユーザのインストール意思を確認できる。
【０１１３】
次に、上記発行されたウォレット追加構成要素に対応するアプリケーションをインストールする（ステップＳ２４０）。上記制御部１１０は、上記発行されたウォレット追加構成要素に対応するアプリケーションをインストールする。例えば、図１１のように上記発行されたウォレット追加構成要素に対応するアプリケーションが‘S Coffee’社のアプリケーションである場合、上記制御部１１０は上記‘S Coffee’社のアプリケーションをインストールする。
【０１１４】
しかしながら、前述したステップＳ２３０及びステップＳ２４０とは異なり、上記発行されたウォレット追加構成要素に対応するアプリケーションがインストールされていない場合、第１ウォレットアプリケーションを実行して、上記発行されたウォレット追加構成要素を表示することもできる。上記第１ウォレットアプリケーションは、上記ウォレット構成要素を収集して表示するアプリケーションを意味する。したがって、上記制御部１１０は上記発行されたウォレット追加構成要素に対応するアプリケーションがインストールされていない場合、上記第１ウォレットアプリケーションを直接実行して、上記発行されたウォレット追加構成要素を表示することもできる。
【０１１５】
したがって、本発明の他の実施形態によれば発酵されたウォレット追加構成要素に対応するアプリケーションがインストールされていない場合には、上記第１ウォレットアプリケーションに対するインストールを促して上記ウォレット追加構成要素を使用するようにすることができ、第１ウォレットアプリケーションを実行して上記ウォレット追加構成要素を使用するようにすることができる利点がある。
【０１１６】
本発明の実施形態は、ハードウェア、ソフトウェア、またはハードウェア及びソフトウェアの組み合わせの形態に実現可能であるということが分かる。このような任意のソフトウェアは、例えば削除または再記録の可否と関係無く、ＲＯＭなどの格納装置のような揮発性または不揮発性格納装置、または例えば、ＲＡＭ、メモリチップ、装置または集積回路のようなメモリ、または例えばＣＤ、ＤＶＤ、磁気ディスクまたは磁気テープなどのような光学または磁気的に記録可能であると共に、機械（例えば、コンピュータ）により読取できる格納媒体に格納されてもよい。また、本発明の実施形態は、制御部及びメモリを含むコンピュータまたは携帯端末により具現化されてもよく、上記メモリは本発明の実施形態を具現化する指示を含むプログラムまたはプログラムの格納に適合した機械により読取できる格納媒体の一例であることが分かる。したがって、本発明は本明細書の任意の請求項に記載された装置または方法を具現化するためのコードを含むプログラム及びこのようなプログラムを格納する機械（コンピュータなど）により読取できる格納媒体を含む。また、このようなプログラムは有線または無線接続により伝達される通信信号のような任意の媒体を通じて電子的に伝送されてもよく、本発明はこれの均等物を適切に含む。
【０１１７】
また、上記端末装置は、有線または無線で接続されるプログラム提供装置から上記プログラムを受信して格納することができる。上記プログラム提供装置は、本発明の実施形態を実行するようにする指示を含むプログラム、本発明の実施形態に必要な情報などを格納するためのメモリと、上記端末装置との有線または無線通信を行うための通信部と、上記端末装置のリクエストまたは自動で該当プログラムを上記送受信装置に転送する制御部とを含むことができる。
【符号の説明】
【０１１８】
１００    端末装置
２００    チケットサーバ
３００    第１プロバイダサーバ
４００    第２プロバイダサーバ 
【図１】
2014164766.tif 000003
【図２】
2014164766.tif 000004
【図３】
2014164766.tif 000005
【図４】
2014164766.tif 000006
【図５】
2014164766.tif 000007
【図６】
2014164766.tif 000008
【図７】
2014164766.tif 000009
【図８】
2014164766.tif 000010
【図９】
2014164766.tif 000011
【図１０】
2014164766.tif 000012
【図１１】
2014164766.tif 000013